(57)【要約】【課題】  いかなる状況でも、確実に使用できる使い勝手に優れた自動体外式除細動器を提供する。【解決手段】  ＡＤＥ本体１の電源として急速充電が可能な充電式電池７を使用し、また、ＡＤＥ本体１を保管用架台８に載置している状態で外部充電部１４が接続され、常に充電式電池７を満充電まで充電し連続使用を可能にした。また、組み込まれる充電式電池７として、１０Ｃ以上の電流で急速充電できるリチウムイオン二次電池が用いられことも特徴としている。【選択図】      図２
2009082333.tif 000002
【特許請求の範囲】
【請求項１】
心室細動を起こした患者にセットされる電極パッドを備えた自動体外式除細動器本体を有し、該自動体外式除細動器本体内部に蓄えられたエネルギーを前記電極パッドを介して患者に対し放電し心室細動を正常に戻すような自動体外式除細動器において、
前記自動体外式除細動器本体内部に設けられ、該自動体外式除細動器本体の動作に必要な電力を供給する電源として用いられる１０Ｃ以上の電流で急速充電可能な充電式電池を具備したことを特徴とする自動体外式除細動器。
【請求項２】
前記自動体外式除細動器は、外部充電手段が電気的に接続可能で、該接続状態で前記充電式電池を充電することを特徴とする請求項１記載の自動体外式除細動器。
【請求項３】
前記自動体外式除細動器本体は、専用の保管場所に設けられ、該保管場所に前記自動体外式除細動器本体が保管された状態で、前記外部充電手段が電気的に接続され、前記充電式電池を充電可能にしたことを特徴とする請求項２記載の自動体外式除細動器。
【請求項４】
前記自動体外式除細動器本体は、前記設置場所に保管している状態で、自己診断を行い、故障の有無を検査する機能を有することを特徴とする請求項３記載の自動体外式除細動器。
【請求項５】
前記自動体外式除細動器本体は、前記充電式電池の電池残量を表示する電池残量表示手段を有することを特徴とする請求項１記載の自動体外式除細動器。
【発明の詳細な説明】
【技術分野】
【０００１】
本発明は、心臓の心室細動を除去するのに用いられる自動体外式除細動器に関するものである。
【背景技術】
【０００２】
最近、駅や役所などの公共機関、多数の人が集まる場所には、自動体外式除細動器(ＡＥＤ（Automated External Defibrillator）)(以下、ＡＥＤと略称する。)が設置されている。
【０００３】
ＡＥＤは、心臓が心室細動を起こし全身へ血液を送れなくなってしまった人に対して、電気ショックを与えて心臓の細動を除去し心臓の動きを正常に戻す事を試みる医療機器である（特許文献１）。過去においては、このような電気ショックを与える機器は取扱が難しく、使用に際して専門の知識が必要で、心電図などをとる必要もあったことから、医療機関でのみ使用する機器であった。しかし、近年、操作の一部が自動化され、比較的扱いが簡単になったＡＥＤが販売されるようになり、また、法改正により一般の人でも扱う事が可能となったため、普及が進みつつある。
【０００４】
最近のＡＥＤは、起動すると操作方法の音声ガイドが流れ、その指示通りにセットすれば後はほぼ自動的に使用できる。例えば、患者にセットされたＡＥＤは自動的に心電図をとり、患者の状態を調査し、電気ショックの必要性を判断し、電気ショックが必要であれば、自動的に電気ショックを与えるようになる。
【０００５】
このようにＡＥＤは、非常に操作が簡単であり、一般の人が扱えるようになったことで、万が一、心室細動を起こした人がいた場合にも、救急車が来る前に一般の人が迅速にＡＥＤによる治療を行うことができる。心室細動発生時の救命率は、手当ての素早さに比例すると言われており、このような迅速な対応ができる様になったことは、緊急の手当てを必要とする者を救うことができるようになり好ましいことである。
【０００６】
一方、当然のことながら医療施設においても従来と同様に救急医療のために活用されており救命に一役かっている。これら公共機関等に常設されるＡＥＤや医療施設で使用されているものは、基本的には同じもので、その基本機能に大きな差は無く、内蔵電池（例えば一次電池）あるいは外部電源より供給される電力をコンデンサにいったん蓄え、それを患者に対して一気に放電し、心室細動を正常に戻すようにしている。
【特許文献１】特開２０００−１３５２９４号公報
【特許文献２】特開２００５−１２３１８３号公報
【発明の開示】
【発明が解決しようとする課題】
【０００７】
ところで、ＡＥＤは普段使用しないときは一定の場所に保管して、緊急の使用に備えているものである。特に一般の公共機関に常設するものは、誰からも目立つような場所に、専用の設置台を備えるなどして、保管される。この保管中にＡＥＤは、常に使用できる状態で保持されなければならない。保管中の故障があってはならないし、電池を電源としていれば保管中に電池切れするようなことがあってはならない。もしもそのようなことがあれば、実際に必要とされたときに使用できず、患者を救命できない事態にもなりかねない。
【０００８】
電源がＡＣ電源(商用電源)のように外部電源であれば、電池切れという事態は起こらないが、ＡＥＤの使用場所は決まっているわけではなく、保管場所から持ち出して使用するのが普通であり、医療施設の特定の場所で使う場合を除いては、電源コードを引き伸ばして使うのでは実用性の面で好ましくない。
【０００９】
一方、ＡＥＤの中には自己診断機能を有するものがある。このような機種は、保管中に定期的に自己機能検査を行い、万が一の故障や電池切れの際には警告を発するようになっている。しかし、ＡＥＤ自身の故障の場合でなく、電池切れの警告により、これを確認して手動で電池交換するのでは手間がかかるばかりか、時として電池切れの警告に気が付かないこともあり、電池交換を忘れたりしたら、緊急の際の使用ができなくなってしまうこともある。このように自己診断機能を有するＡＥＤでは、定期的に自己診断をすることでの電池容量の消費もあり、電池寿命を縮めることにもなる。
【００１０】
そこで、例えば鉛蓄電池やニッケル水素蓄電池のような二次電池を電源として使用することが考えられる。このような二次電池を使用すれば、専用の設置台にＡＥＤを設置している状態で二次電池を充電できるようにしておくことで、自己診断後に電池残量不足であれば、自動で充電して緊急時の使用に備えることができる。
【００１１】
しかし、従来の二次電池は、充電時間がひとつの問題となる。一般に鉛蓄電池やニッケル水素蓄電池、リチウムイオン二次電池といった二次電池は、急速充電が出来ず充電に１〜２時間は必要である。このため、この充電している間は、ＡＥＤが使用できない状態を招いてしまう。つまり、ＡＥＤを使用したい緊急時に二次電池が充電中であったら、充電終了まで長時間待たなくてはならず直ぐの使用ができない。
【００１２】
上述したようにＡＥＤに自己診断機能があれば、通常は未使用で保管しているときに二次電池は充電されるので問題ないのであるが、ＡＥＤの使用上の特異性から、いつ、どのように使われるか分からず、仮に、連続で使用するような必要性が生じたような場合、電池切れを起こす可能性があり、このような場合は、充電している間はＡＥＤを使用することができない。ＡＥＤは医療機器であり、そのようなリスクは、できる限り避け、いかなる状況でも、迅速にしかも確実に使用できるようにしておくことが重要である。
【００１３】
本発明は上記事情に鑑みてなされたもので、いかなる状況でも、確実に使用できる使い勝手に優れた自動体外式除細動器を提供することを目的とする。
【課題を解決するための手段】
【００１４】
請求項１記載の発明は、心室細動を起こした患者にセットされる電極パッドを備えた自動体外式除細動器本体を有し、該自動体外式除細動器本体内部に蓄えられたエネルギーを前記電極パッドを介して患者に対し放電し心室細動を正常に戻すような自動体外式除細動器において、前記自動体外式除細動器本体内部に設けられ、該自動体外式除細動器本体の動作に必要な電力を供給する電源として用いられる１０Ｃ以上の電流で急速充電可能な充電式電池を具備したことを特徴としている。
【００１５】
請求項２記載の発明は、請求項１記載の発明において、前記自動体外式除細動器は、外部充電手段が電気的に接続可能で、該接続状態で前記充電式電池を充電することを特徴としている。
【００１６】
請求項３記載の発明は、請求項２記載の発明において、前記自動体外式除細動器本体は、専用の保管場所に設けられ、該保管場所に前記自動体外式除細動器本体が保管された状態で、前記外部充電手段が電気的に接続され、前記充電式電池を充電可能にしたことを特徴としている。
【００１７】
請求項４記載の発明は、請求項３記載の発明において、前記自動体外式除細動器本体は、前記設置場所に保管している状態で、自己診断を行い、故障の有無を検査する機能を有することを特徴としている。
【００１８】
請求項５記載の発明は、請求項１記載の発明において、前記自動体外式除細動器本体は、前記充電式電池の電池残量を表示する電池残量表示手段を有することを特徴としている。
【発明の効果】
【００１９】
本発明によれば、いかなる状況でも、確実に使用できる使い勝手に優れた自動体外式除細動器を提供できる。
【発明を実施するための最良の形態】
【００２０】
以下、本発明の実施の形態を図面に従い説明する。
【００２１】
（第１の実施の形態）
図１は、本発明の第１の実施の形態にかかるＡＥＤ（自動体外式除細動器）の概略構成を示している。
【００２２】
図１において、１はＡＥＤ（自動体外式除細動器）本体で、このＡＥＤ本体１は、正面に凹部１ａが設けられ、また、前側端部には、持ち運びの際に使用する取手１ｂが設けられている。凹部１ａの底面に操作部２が設けられている。この操作部２には、ＡＥＤの動作をスタートさせるスタートスイッチ３、放電開始スイッチ４が配置され、さらに、ＡＥＤ操作の説明を表示するための表示部５が配置されている。ＡＥＤ操作の説明は、表示部５での文字表示だけでなく音声によっても行われる。なお、２ａは、蓋部で、ＡＥＤ本体１の凹部１ａの開口部を開閉し、操作部２上面を覆う。
【００２３】
ＡＥＤ本体１からは、リード線６１１，６１２を介して一対の電極パッド６１、６２が導出されている。これら電極パッド６１、６２は、ＡＥＤ操作の説明にしたがって心室細動を起こした患者の心臓に近い所定個所にセットされ、また、患者の状態を調査し、電気ショックの必要性が判断されると、心臓に電気ショックとなる電流を流す。
【００２４】
ＡＥＤ本体１の内部には、不図示の電池室に充電式電池７が収納されている。充電式電池７の詳細は後述する。また、ＡＥＤ本体１正面には、電池残量表示部９が配置されている。電池残量表示部９は、充電式電池７の放電状態を表示するもので、充電式電池７の充電残量が所定値以下で発光体を点滅し、充電中は点灯しつづけ、充電完了で消灯する。ここでの発光体としては、例えばＬＥＤが用いられる。この場合、例えば、充電残量が所定値以上のときは青色のＬＥＤ、電池残量が所定値より低下すると赤色のＬＥＤをそれぞれ点灯するようにしても良い。
【００２５】
ＡＥＤ本体１の背面には、外部ＡＣ電源用充電端子１９（図１には図示せず）が設けられている。この外部ＡＣ電源用充電端子１９には、後述する外部充電部１４が接続される。
【００２６】
このようなＡＥＤ本体１は、専用の保管場所である保管用架台８の棚部８ａに載置して保管されている。保管用架台８には、充電端子８１（図１では図示せず）が設けられている。この充電端子８１は、ＡＥＤ本体１が棚部８ａに載置された状態でＡＥＤ本体１の外部ＡＣ電源用充電端子１９と自動的に接続される。充電端子８１には、後述する外部充電部１４が接続されており、この外部充電部１４により充電式電池７を充電する。
【００２７】
図２は、ＡＥＤ本体１の回路構成を示している。なお、図２は、上述した図１と同一部分には同符号を付している。
【００２８】
図２において、７は充電式電池で、この充電式電池７は、ＡＥＤ本体１の動作に必要な電源として用いられる。充電式電池７として本実施の形態には、急速充電が可能なリチウムイオン二次電池が用いられる。このリチウムイオン二次電池は、アルミニウムラミネートフィルムからなる外装部材による容器と、この容器内に収容された非水電解質と、前記容器内に収納されアルミニウム箔よりなる正極集電体にリチウムコバルト酸化物を正極作用物質として含む正極層が担持された正極と、前記容器内に収納されアルミニウム箔よりなる負極集電体にリチウムチタン酸化物を負極作用物質粒子として含む負極層が担持された負極とを備えた構造を有している。
【００２９】
ここで、リチウムイオン二次電池についてさらに詳細に説明する。かかる、リチウムイオン二次電池は、リチウムチタン酸化物を作用物質として含む負極を備えている。作用物質であるリチウムチタン酸化物は、特許文献２に開示される通り、リチウムを吸蔵・放出可能な材料であり、リチウムイオンの挿入・離脱が１．４Ｖから１．７Ｖ／Ｌｉ付近で行われる。このため、この二次電池は大電流での急速充電を行っても、従来の負極作用物質に炭素材料を用いた場合と比べてリチウムの析出が起こらずに安全性を確保できる。また、リチウムの吸蔵放出に伴う膨張収縮が生じるのを抑制することができるため、２０Ｃ電流の急速充電を繰り返し行った際にも負極作用物質の構造破壊を抑えることができる。その結果、充放電を繰り返し行った場合においても長い寿命を維持できる。この電池の公称電圧としては２．４Ｖ程度になることから、従来のニッケル水素蓄電池やニッケルカドミウム蓄電池の２本直列分に相当するため、使用本数で５０％の減量化が達成できる。
【００３０】
具体的には、以下のような方法で組み立てたリチウムイオン二次電池は２０Ｃで３分間充電することにより約８０％電池容量まで充電することが可能な急速充電二次電池であることが確認されている。ここで、『Ｃ』は充放電率を表す単位であり、完全放電から完全充電（または完全充電から完全放電）までを定電流充電した場合に計算上１時間で行えるレートを１Ｃとして表現する。１／１０時間の場合、１０Ｃと表現する。したがって、例えば２０Ｃ充電とは、１Ｃ充電の２０倍の電流が必要になる。
【００３１】
＜負極の作製＞
作用物質として、平均粒子径５μｍでＬｉ吸蔵電位が１．５５Ｖ(ｖｓ．Ｌｉ／Ｌｉ+)のチタン酸リチウム（Ｌｉ4Ｔｉ5Ｏ12）粉末と、導電剤として平均粒子径０．４μｍの炭素粉末と、結着剤としてポリフッ化ビニリデン（ＰＶｄＦ）とを重量比で９０：７：３となるように配合し、これらをｎ−メチルピロリドン（ＮＭＰ）溶媒に分散してスラリーを調製した。
【００３２】
なお、作用物質の粒子径の測定には、レーザー回折式粒度分布測定装置（島津製作所株式会社  型番ＳＡＬＤ−３００）を用いた。まず、ビーカー等に試料約０．１ｇを入れた後、界面活性剤と１〜２ｍＬの蒸留水を添加して十分に攪拌し、攪拌水槽に注入した。２秒間隔で、６４回光強度分布を測定し、粒度分布データを解析し、累積度数分布が５０％の粒径（Ｄ５０）を平均粒子径とした。
【００３３】
次いで、厚さ１０μｍのアルミニウム箔（純度９９．９９％）を負極集電体に前記スラリーを塗布し、乾燥した後、プレスを施すことにより電極密度２．４ｇ／ｃｍ3の負極を作製した。
【００３４】
＜正極の作製＞
作用物質としてリチウムコバルト酸化物（ＬｉＣｏＯ2）と、導電材として黒鉛粉末と、結着剤としてポリフッ化ビニリデン（ＰＶｄＦ）とを重量比で８７：８：５となるように配合し、これらをｎ−メチルピロリドン（ＮＭＰ）溶媒に分散させてスラリーを調製した。厚さ１５μｍのアルミニウム箔（純度９９．９９％）にスラリーを塗布し、乾燥した後、プレスすることにより電極密度３．５ｇ／ｃｍ3の正極を作製した。
【００３５】
＜二次電池の組み立て＞
容器（外装部材）の形成材料として、厚さが０．１ｍｍのアルミニウム含有ラミネートフィルムを用意した。このアルミニウム含有ラミネートフィルムのアルミニウム層は、膜厚約０．０３ｍｍであった。アルミニウム層を補強する樹脂には、ポリプロピレンを使用した。このラミネートフィルムを熱融着で貼り合わせることにより、容器（外装部材）を得た。
【００３６】
次いで、前記正極に正極端子を電気的に接続すると共に、前記負極に負極端子を電気的に接続した。厚さ１２μｍのポリエチレン製多孔質フィルムからなるセパレータを正極に密着させて被覆した。セパレータで被覆された正極に負極を対向するように重ね、これらを渦巻状に捲回して電極群を作製した。この電極群をプレスして扁平状に成形した。容器（外装部材）に扁平状に成形した電極群を挿入した。
【００３７】
エチレンカーボネート（ＥＣ）とγ−ブチルラクトン（ＧＢＬ）が体積比（ＥＣ：ＧＢＬ）で１：２の割合で混合された有機溶媒にリチウム塩であるＬｉＢＦ4を１．５ｍｏｌ／Ｌ溶解させ、液状の非水電解質を調製して得られた非水電解質を前記容器内に注液し、正極、負極のそれぞれの端子を外に出した状態でアルミラミネートフィルムの開口部熱融着で封口し電池を組み立てた。
【００３８】
図３（ａ）（ｂ）は、このようにして組み立てられたリチウムイオン二次電池の外観図を示すもので、例えば、外径寸法は５．５×６５×１００ｍｍの矩形状の電池本体７１１を有し、この電池本体７１１の一方端部より正極端子７１２、負極端子７１３をそれぞれ導出している。このような二次電池は、満充電時の電圧は２．８Ｖで、４００ｍＡ−２．８Ｖで定電流定電圧充電を行い２０００ｍＡ定電流放電で２．０Ｖまで放電したときの容量は約２０００ｍＡｈである。また、この二次電池は１０Ｃ以上の電流で急速充電することができる。ここで、上述したように１Ｃは、放電状態から充電までを定電流充電した場合に計算上、１時間で行える電流値を表すものであり、上述した二次電池では２０００ｍＡに相当する。したがって、１０Ｃ以上の電流で急速充電できるとは、１Ｃの１０倍の電流（２０００×１０）ｍＡで充電できることになる。これにより、放電状態(２０００ｍＡ連続放電にて２．０Ｖになるまで放電)から、２０Ａ−２．８Ｖ定電流定電圧充電(１０Ｃ充電)を行うと５分以内に８０％(１６００ｍＡｈ)以上の容量が充電でき、また、４０Ａ−２．８Ｖ定電流定電圧充電(２０Ｃ充電)では、３分以内に８０％以上の容量が充電できる。この急速充電している最中は、異常な発熱などの問題が起こることもない。つまり、ここでの二次電池は、従来のニッケル水素蓄電池やリチウムイオン二次電池では困難な急速充電が可能である。
【００３９】
充電式電池７には、監視保護手段として監視保護回路１３が設けられている。この監視保護回路１３は、充電式電池７の状態を監視するもので、かかる監視結果に応じて不図示のスイッチを駆動して充電式電池７の充放電を停止させる。この場合、監視保護回路１３は、充電式電池７の過充電、過放電及び過電流を監視する。そして、充電式電池７の充電電圧が所定値の範囲では、充電式電池７の充放電を許容し、充電式電池７の充電電圧が所定値以上になると過充電と判断し前記スイッチ（不図示）を開放して充電式電池７の充電を停止させ、また、充電式電池７の充電電圧が所定値以下になると過放電と判断し前記スイッチ（不図示）を開放して充電式電池７の放電を停止させる。さらに充電式電池７の放電電流、あるいは充電電流が所定値以上になると、過電流と判断し前記スイッチ（不図示）を開放して充電式電池７の放電を停止させる。これにより、充電式電池７が過充電状態になって電解液の分解によりガスが発生し、電池内部の圧力が上昇して漏液するのを防止し、また、充電式電池７が過放電状態になって電池性能を劣化させるのを防止する。このような監視保護回路１３は、モジュール化され、前記充電式電池７に接続されている。なお、監視保護回路１３は、充電式電池７過充電、過放電及び過電流の少なくとも一つを監視するものであっても良い。
【００４０】
充電式電池７には、外部ＡＣ電源用充電端子１９が接続されている。この外部ＡＣ電源用充電端子１９には、保管用架台８の充電端子８１を介して外部充電部１４が接続される。外部充電部１４は、充電制御部１５とＡＣ／ＤＣコンバータ１６を有している。充電制御部１５は、充電式電池７の充電を制御するもので、充電端子８１が接続されている。ＡＣ／ＤＣコンバータ１６は、１００ＶのＡＣ電源（商用電源）１７の交流電力を直流電力に変換するもので、この直流電力を充電制御部１５に入力し、充電端子８１より外部ＡＣ電源用充電端子１９を介して充電式電池７に充電用電力を供給する。
【００４１】
充電式電池７には、出力調整部１０及び制御部１２が接続されている。制御部１２は、ＡＥＤ本体１全体を制御するもので、操作部２、出力調整部１０及び電池残量表示部９が接続されている。操作部２は、上述したようなもので、ＡＥＤの動作をスタートさせるスタートスイッチ３、放電開始スイッチ４などを有している。
【００４２】
出力調整部１０には、蓄電手段としてコンデンサ１１が接続されている。出力調整部１０は、制御部１２の制御指示により充電式電池７の出力をコンデンサ１１の充電に必要な電力に調整して出力する。コンデンサ１１は、出力調整部１０の出力により電気ショックに必要なエネルギーを発生させる高電圧を充電する。コンデンサ１１には、電極パッド６１（６２）が接続されている。電極パッド６１、６２は、コンデンサ１１の放電エネルギーにより患者の心臓に電気ショックとなる電流を流す。また、電極パッド６１（６２）は、心電図情報などの患者情報を制御部１２に出力する。
【００４３】
制御部１２は、ＡＥＤ制御手段１２１、自己診断手段１２２及び電池残量監視手段１２３を有している。ＡＥＤ制御手段１２１は、スタートスイッチ３の操作によりＡＥＤ操作の説明情報を出力するとともに、操作部２の電極パッド６１（６２）からの患者情報に基づいて心電図解析を行い、患者状態を把握して放電の使用を判断する。さらに、操作部２の放電開始スイッチ４の操作をまって出力調整部１０の出力をコンデンサ１１に充電させるとともに、コンデンサ１１の充電エネルギーにより患者の心臓に電気ショックとなる電流を流す。自己診断手段１２２は、定期的にＡＥＤの自己診断を行い故障の有無を確認するとともに、電池残量監視手段１２３を介して充電式電池７の残容量を確認し、残容量が所定値以下であれば、保管用架台８の外部充電部１４より充電式電池７を充電させる。電池残量監視手段１２３は、充電式電池７の放電状態を監視し、充電残量が所定値以下になると電池残量表示部９の発光体を点滅し、充電中は点灯しつづけ、充電完了で消灯する。
【００４４】
次に、このように構成した実施の形態の作用を説明する。
【００４５】
この場合、ＡＥＤ本体１は、保管用架台８の棚部８ａ上に載置されており、外部ＡＣ電源用充電端子１９が保管用架台８の充電端子８１に接続されている。
【００４６】
この状態で、ＡＥＤ本体１は、自己診断手段１２２により定期的に自己診断が行われており、仮に、充電式電池７の残容量が所定値以下であれば、自動的に充電がされる。この場合、ＡＣ電源１７より外部充電部１４のＡＣ／ＤＣコンバータ１６を介して充電制御部１５に直流電力が入力し、充電端子８１より外部ＡＣ電源用充電端子１９を介して充電式電池７に充電用電力が供給され、充電式電池７が満充電まで充電される。
【００４７】
この状態で、ＡＥＤを使用するため、ＡＥＤ本体１を保管用架台８から取外し、操作部２のスタートスイッチ３を操作すると、ＡＥＤ制御手段１２１によりＡＥＤ操作の説明情報が出力される。この操作説明は、例えば不図示のスピーカから音声として出力される。この操作説明にしたがって患者の胸部に電極パッド６１、６２をセットすると、電極パッド６１、６２より患者情報が制御部１２に入力される。ＡＥＤ制御手段１２１は、このときの患者情報に基づいて心電図解析を行い、患者状態を把握して放電の使用を判断する。そして、放電の使用の判断をまって放電開始スイッチ４を操作すると、出力調整部１０の出力がコンデンサ１１に充電される。その後、コンデンサ１１の充電エネルギーが患者の心臓に電気ショックとして放電し、心室細動を正常に戻す電流が流れる。
【００４８】
したがって、このようにすれば、ＡＤＥ本体１の電源として急速充電が可能な充電式電池７を使用し、また、ＡＤＥ本体１を保管用架台８に載置している状態で外部充電部１４が接続され、常に充電式電池７を満充電まで充電し連続使用を可能にした。また、組み込まれる充電式電池７として、１０Ｃ以上の電流で急速充電できるリチウムイオン二次電池が用いられことも特徴としている。これにより、ＡＤＥ本体１は、緊急時に確実に対応できるように定期的に自己診断を行うようにしているが、この場合にも、充電式電池７の電池残量の状況によって自動的に補充電が行われるため、実際に使用しようとしたときに電池切れで使用できないといった事態を確実に回避できる。このことは、一次電池を使用していた場合には、電池残量が減っていても自動的に補充する事は不可能であり、本発明の充電式電池７を使用したＡＥＤの優位となるところである。
【００４９】
また、ＡＥＤの電源として、従来の鉛蓄電池やニッケル水素蓄電池、リチウムイオン二次電池といった二次電池を使用した場合は、急速充電が出来ず充電に１〜２時間は必要であるため、この間、ＡＥＤを使用できない状態が発生してしまう。これでは緊急の際、ＡＥＤを使用したいときに使用できないことになり、患者の命に関わる問題となる。通常はＡＥＤ未使用で保管しているときは、上述したように自動的に補充電が行われるため、問題になる可能性は少ないが、ＡＥＤはいつ、どのように使われるか分からず、例えば連続で使用する必要が生じたような場合、この際の電池切れが大きな問題となる。本発明のＡＥＤであれば、急速充電を可能にした充電式電池７を電源として搭載しているので、万が一、電池残量が足りなくなったとしても、極短時間の充電によって再び使用が可能となり、迅速に緊急事態を回避できるなど、使い勝手に優れたＡＥＤが得られる。医療機器として、いかなる状況でも、確実に使用できることを求められるＡＥＤにとっては、充電式電池７の急速充電による機能向上は、大きなメリットとなる。
【００５０】
また、充電式電池７の短時間での充電が可能であれば、充電を頻繁に行う運用も考えられるので、その場合には電池容量の小さな充電式電池を使用することが可能となり、ＡＥＤを小型軽量化とともにコスト低減につなげることができる。これらのことは、急速充電が可能な充電式電池７を使用することによって実現できることである。
【００５１】
なお、本発明は、上記実施の形態に限定されるものでなく、実施段階では、その要旨を変更しない範囲で種々変形することが可能である。
【００５２】
その他、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００５３】
【図１】本発明の第１の実施の形態の自動体外式除細器の外観を示す図。
【図２】第１の実施の形態の自動体外式除細器の回路構成を示す図。
【図３】第１の実施の形態に用いられる充電式電池の正面及び側面を示す図。
【符号の説明】
【００５４】
１…ＡＥＤ本体、１ａ…凹部、１ｂ…取手
２…操作部、３…スタートスイッチ、４…放電開始スイッチ
５…表示部、６１、６２…電極パッド、６１１．６１２…リード線
７…充電式電池、７１１…電池本体、７１２…正極端子
７１３…負極端子、８…保管用架台、８ａ…棚部
８１…充電端子、９…電池残量表示部、１０…出力調整部
１１…コンデンサ、１２…制御部、１２１…ＡＥＤ制御手段
１２２…自己診断手段、１２３…電池残量監視手段
１３…監視保護回路、１４…外部充電部、１５…充電制御部
１６…ＡＣ／ＤＣコンバータ、１７…ＡＣ電源、１９…ＡＣ電源用充電端子
【図１】
2009082333.tif 000003
【図２】
2009082333.tif 000004
【図３】
2009082333.tif 000005